(57)【要約】【課題】収納部内の貨幣の再計数を行うことなく収納部内のすべての貨幣の金種、枚数を確定することを可能にする。【解決手段】出金処理時に各繰出し部２により各スタッカ１から繰出された貨幣の枚数を金種毎に計数する繰出し枚数計数部４が計数した金種毎の貨幣の計数枚数と、金種判別部３の判別で金種が確定した正常貨幣の枚数を金種毎に計数する判別結果計数部５が計数した金種毎の正常貨幣の計数枚数を用いてリジェクト貨幣算出部６が金種毎のリジェクト貨幣枚数を算出し、その算出した金種毎のリジェクト貨幣枚数を収納部に収納した貨幣の金種毎の枚数を記憶しているカウンタの値に加算して更新する。【選択図】図１
2008234190.tif 000002
【特許請求の範囲】
【請求項１】
金種別に貨幣を収納するスタッカに収納しきれない正常貨幣と金種判別部で金種不明と鑑別されたリジェクト貨幣を混在して収納する収納部を有する入出金装置において、
金種別に貨幣を収納したスタッカから貨幣を繰出す繰出し部と、
該繰出し部により繰出された貨幣の枚数を計数する繰出し枚数計数部と、
前記スタッカから前記繰出し部により繰出されて前記金種判別部で金種判別された正常貨幣の金種毎の枚数を計数すると共に金種不明と判別されたリジェクト貨幣の枚数を計数する判別結果計数部と、
前記繰出し枚数計数部による金種毎の貨幣の計数結果と前記判別結果計数部による金種毎の正常貨幣の計数結果とを用いてリジェクト貨幣の金種毎の枚数を算出するリジェクト貨幣算出部と、
前記収納部に収納された貨幣の金種毎の枚数を記憶するカウンタを備え、
前記リジェクト貨幣算出部により算出されたリジェクト貨幣の金種毎の枚数を前記カウンタに加算することを特徴とする入出金装置。
【請求項２】
請求項１記載の入出金装置において、
前記スタッカから繰出す貨幣の繰出し指示枚数を確認する指示枚数確認部を備え、
該指示枚数確認部は前記判別結果計数部により計数される金種毎の貨幣の枚数のうち前記繰出し指示枚数を超えた金種が発生したとき、金種判別された貨幣の金種毎の計数枚数と繰出し指示枚数の情報を前記繰出し枚数計数部に通知し、
前記繰出し枚数計数部は、通知された金種毎の計数枚数と繰出し指示枚数の情報を用いて繰出し枚数の補正値を算出して、繰出し枚数を補正することを特徴とする入出金装置。
【請求項３】
請求項１記載の入出金装置において、
前記金種判別部で金種不明と鑑別されたリジェクト貨幣を一時保留する一時保留部を備え、
前記リジェクト貨幣算出部により算出されたリジェクト貨幣の金種毎の枚数の総和が前記判別結果計数部により計数されたリジェクト貨幣枚数より少ないとき、前記一時保留部に保留されたリジェクト貨幣を前記金種判別部に送って再判別し、その判別により金種が判別された金種毎の枚数を前記カウンタに加算することを特徴とする入出金装置。
【請求項４】
請求項３記載の入出金装置において、
前記繰出し枚数計数手段は、
金種判別された貨幣の金種毎の枚数と前記繰出し部により繰出された枚数とリジェクト貨幣に対する再判別により金種が判別した貨幣の金種毎の枚数を用いて繰出し枚数の補正値を計算して、繰出し枚数を補正することを特徴とする入出金装置。
【発明の詳細な説明】
【技術分野】
【０００１】
本発明は、貨幣の入出金処理を行う入出金装置に関するもので、特に出金時に金種不明と判別されたリジェクト貨幣と正常貨幣を混在させて収納部に収納する構成を有する入出金装置に関するものである。
【背景技術】
【０００２】
従来のこの種の入出金処理装置として、例えば特許文献１に示される現金自動取引装置があり、この現金自動取引装置では、出金取引時に鑑別部（金種判別部）で金種不明と鑑別されたリジェクト貨幣（現金）をリジェクトカセット（収納部）に収納すると共に、入金取引時に金種別カセットに収納しきれない貨幣もリジェクトカセットに収納するようにしている。
【特許文献１】特開２００６−３３１２２５号公報
【発明の開示】
【発明が解決しようとする課題】
【０００３】
しかしながら、上述した従来の技術においては、以下の問題がある。
すなわち入金取引時に金種別カセットに収納しきれない貨幣は、金種が確定し枚数も確認できる正常な貨幣であるが、この正常貨幣と金種不明のリジェクト貨幣を混在して収納部に収納するため、この収納部内の金種毎の貨幣の枚数を確定するには、収納部内のすべての貨幣の再計数を行わなければならないという問題がある。
【０００４】
本発明は、このような問題を解決することを課題とする。
【課題を解決するための手段】
【０００５】
そのため、本発明の入出金装置は、金種別に貨幣を収納するスタッカに収納しきれない正常貨幣と金種判別部で金種不明と鑑別されたリジェクト貨幣を混在して収納する収納部を有する入出金装置において、金種別に貨幣を収納したスタッカから貨幣を繰出す繰出し部と、該繰出し部により繰出された貨幣の枚数を計数する繰出し枚数計数部と、前記スタッカから前記繰出し部により繰出されて前記金種判別部で金種判別された正常貨幣の金種毎の枚数を計数すると共に金種不明と判別されたリジェクト貨幣の枚数を計数する判別結果計数部と、前記繰出し枚数計数部による金種毎の貨幣の計数結果と前記判別結果計数部による金種毎の正常貨幣の計数結果とを用いてリジェクト貨幣の金種毎の枚数を算出するリジェクト貨幣算出部と、前記収納部に収納された貨幣の金種毎の枚数を記憶するカウンタを備え、前記リジェクト貨幣算出部により算出されたリジェクト貨幣の金種毎の枚数を前記カウンタに加算することを特徴とする。
【発明の効果】
【０００６】
このようにした本発明は、スタッカから繰出した貨幣の処理時に金種毎のリジェクト貨幣枚数を算出することができ、その算出した金種毎のリジェクト貨幣枚数を収納部に収納した貨幣の金種毎の枚数を記憶しているカウンタの値に加算して更新するため、収納部に収納した貨幣の金種毎の枚数を把握管理することが可能となり、貨幣の再計数を行うことなく収納部内のすべての貨幣の金種、枚数を確定することが可能になるという効果が得られる。
【発明を実施するための最良の形態】
【０００７】
以下、図面を参照して本発明による入出金装置の実施例を説明する。
【実施例】
【０００８】
図１は第１の実施例を示すブロック図である。
図において１は紙幣を金種別に収納したスタッカで、図では１つであるが金種毎に複数設けられている。
２はスタッカ１から貨幣を繰出す繰出し部で、各スタッカ１に対応して設けられている。
【０００９】
３は入出金処理時等に貨幣の金種を判別する金種判別部、４は各繰出し部２により各スタッカ１から繰出された貨幣の枚数を金種毎に計数する繰出し枚数計数部、５は金種判別部３の判別で金種が確定した正常貨幣の枚数を金種毎に計数するすると共にリジェクトと判別された貨幣の枚数（リジェクト回数）も計数する判別結果計数部、６は繰出し枚数計数部４からの金種毎の貨幣の計数結果（計数情報）及び判別結果計数部５からの金種毎の貨幣の計数結果（計数情報）を用いて金種毎のリジェクト貨幣枚数を算出するリジェクト貨幣算出部である。
【００１０】
尚、この他、本実施例では出金処理時に出金可能な正常貨幣を集積する図示しない出金口、出金取引時に金種判別部３で金種不明と鑑別されたリジェクト貨幣及び入金取引時に金種別カセットに収納しきれない貨幣を収納する図示しない収納部、収納部に収納した貨幣の金種毎の枚数を記憶する図示しないカウンタ、入金処理や出金処理等の取引の選択及び出金金種と金種毎の出金枚数等の入力を行う図示しない入力部等を備えている。
【００１１】
上述した構成の作用について説明する。
尚、以下に説明する各部の動作は、図示しない記憶部に格納されたプログラム（ソフトウェア）に基づいて図示しない制御部により制御されるものとし、制御部による記憶部等からの情報の読出しやそれに基づく制御についてはその説明を省略する。
まず、出金処理時には図示しない入力部から入力指示された出金金種（繰出し金種）及び金種毎の出金枚数（繰出し枚数）に応じて該当金種のスタッカ１から貨幣が繰出し部２により繰出され、繰出された貨幣は金種判別部３に搬送されて、該金種判別部３で金種判別が行われる。
【００１２】
その結果、金種が確定した正常な貨幣は図示しない出金口に搬送されて該出金口に集積され、また金種が不明なリジェクト（ＲＪ）貨幣は図示しない収納部に搬送されて該収納部に収納される。
繰出し枚数計数部４は各繰出し部２が各スタッカ１から貨幣を繰出す毎に繰出し枚数を金種毎に計数し、また判別結果計数部５は金種判別部３で金種判別が行われる毎に金種が確定した正常貨幣の枚数を金種毎に計数すると共に、金種不明を判別されたリジェクト貨幣の枚数を計数する。
【００１３】
この判別結果計数部５で計数された正常貨幣の金種毎の枚数が金種毎の出金指示枚数に足りない場合、足りない金種の貨幣がスタッカ１から繰出し部２により繰出され、金種判別部３に搬送されて金種判別が行われる。
このときも繰出し枚数計数部４は繰出し部２がスタッカ１から貨幣を繰出す毎に貨幣枚数を計数し、また判別結果計数部５は金種判別部３で金種判別が行われる毎に金種が確定した正常貨幣の枚数を金種毎に計数すると共に、金種不明を判別されたリジェクト貨幣の枚数を計数する。
【００１４】
繰出し枚数計数部４の計数枚数及び判別結果計数部５の計数枚数はリジェクト貨幣算出部６に送信され、リジェクト貨幣算出部６はこの繰出し枚数計数部４からの計数枚数及び判別結果計数部５からの計数枚数を用いて金種毎のリジェクト貨幣枚数を算出する処理を実施する。
この場合の金種毎のリジェクト貨幣枚数を算出するための計算式は下記（１）式による。
【００１５】
繰出し枚数  −  正常貨幣計数枚数  ＝  リジェクト貨幣枚数・・・・（１）
そしてリジェクト貨幣算出部６はこの（１）により算出した金種毎のリジェクト貨幣枚数を収納部に収納した貨幣の金種毎の枚数を記憶している図示しないカウンタの値に加算する。
図２はこの第１の実施例によるカウンタ更新処理の一例を示す説明図で、ここでは硬貨の場合を例にして説明する。
【００１６】
例えば、図２のａに示したように１００円硬貨３枚、１０円硬貨２枚の出金指示に対し、ｂに示したように判別結果計数部５が金種判別部２の判別結果により１００円硬貨３枚、１０円硬貨２枚の正常貨幣を計数し、２枚のリジェクト貨幣を計数したとき、ｃに示したようにスタッカ１からの繰り出し枚数を計数する繰出し枚数計数部４の計数結果が１００円硬貨４枚、１０円硬貨３枚であれば、リジェクト貨幣算出部６は正常貨幣の計数結果と繰り出し枚数からｄに示したように１００円硬貨については「４−３＝１」、１０円硬貨については「３−２＝１」の計算を行って、金種判別部２で金種不明と判別されたリジェクト貨幣の金種毎の枚数を１００円硬貨１枚、１０円硬貨１枚として算出する。
【００１７】
この算出したリジェクト貨幣の金種毎の枚数は、収納部に収納した貨幣の金種毎の枚数を記憶している図示しないカウンタの値に加算する。
いま、収納部に収納した貨幣の金種毎の枚数を記憶しているカウンタのカウント値がｅに示したように５００円硬貨１００枚、１００円硬貨１００枚、５０円硬貨５０枚、１０円硬貨５０枚、５円硬貨１０枚、１円硬貨１０枚であるとき、今回算出した１００円硬貨１枚、１０円硬貨１枚をウント値に加算して、ｆに示したように５００円硬貨１００枚、１００円硬貨１０１枚、５０円硬貨５０枚、１０円硬貨５１枚、５円硬貨１０枚、１円硬貨１０枚となるようにカウント値を更新する。
【００１８】
以上説明したように第１の実施例によれば、出金処理時に各繰出し部２により各スタッカ１から繰出された貨幣の枚数を金種毎に計数する繰出し枚数計数部４が計数した金種毎の貨幣の計数枚数と、金種判別部３の判別で金種が確定した正常貨幣の枚数を金種毎に計数する判別結果計数部５が計数した金種毎の正常貨幣の計数枚数を用いてリジェクト貨幣算出部６が金種毎のリジェクト貨幣枚数を算出し、その算出した金種毎のリジェクト貨幣枚数を収納部に収納した貨幣の金種毎の枚数を記憶しているカウンタの値に加算して更新するようにしているため、収納部に収納した貨幣の金種毎の枚数を把握管理することが可能となり、貨幣の再計数を行うことなく収納部内のすべての貨幣の金種、枚数を確定することが可能になるという効果が得られる。
【００１９】
図３は本発明の第２の実施例を示すブロック図で、この第２の実施例は第１の実施例の構成における判別結果計数部５とリジェクト貨幣算出部６の間に指示枚数確認部７を追加したもので、この指示枚数確認部７は判別結果計数部５の計数結果が図示しない入力部で入力された出金指示枚数を超えた場合、繰出し枚数計数部４に繰出し枚数の変更の情報を出力するものである。
【００２０】
この他の構成は第１の実施例と同様であり、従って第１の実施例と同様の部分は、同一の符号を付してその説明を省略する。
上述した構成の作用について説明する。
尚、以下に説明する各部の動作は、図示しない記憶部に格納されたプログラム（ソフトウェア）に基づいて図示しない制御部により制御されるものとし、制御部による記憶部等からの情報の読出しやそれに基づく制御についてはその説明を省略する。
【００２１】
まず、出金処理時には図示しない入力部から入力指示された出金金種（繰出し金種）及び金種毎の出金枚数（繰出し枚数）に応じて該当金種のスタッカ１から貨幣が繰出し部２により繰出され、繰出された貨幣は金種判別部３に搬送されて、該金種判別部３で金種判別が行われる。
その結果、金種が確定した正常な貨幣は図示しない出金口に搬送されて該出金口に集積され、また金種が不明なリジェクト（ＲＪ）貨幣は図示しない収納部に搬送されて該収納部に収納される。
【００２２】
繰出し枚数計数部４は各繰出し部２が各スタッカ１から貨幣を繰出す毎に繰出し枚数を金種毎に計数し、また判別結果計数部５は金種判別部３で金種判別が行われる毎に金種が確定した正常貨幣の枚数を金種毎に計数すると共に、金種不明を判別されたリジェクト貨幣の枚数を計数する。
この判別結果計数部５で計数された正常貨幣の金種毎の枚数が金種毎の出金指示枚数に足りない場合、足りない金種の貨幣がスタッカ１から繰出し部２により繰出され、金種判別部３に搬送されて金種判別が行われる。
【００２３】
このときも繰出し枚数計数部４は繰出し部２がスタッカ１から貨幣を繰出す毎に貨幣枚数を計数し、また判別結果計数部５は金種判別部３で金種判別が行われる毎に金種が確定した貨幣の枚数を金種毎に計数すると共に、金種不明を判別されたリジェクト貨幣の枚数を計数する。
この出金処理中に指示枚数確認部７は正常紙幣計数部５から送られてくる正常貨幣の計数枚数を認識し、出金指示枚数と正常紙幣計数部５出の計数結果が一致しているかどうか確認を行う。
【００２４】
出金指示枚数に達した金種に対しては繰出しが行われないため、出金金種に対して出金指示枚数より多く正常貨幣が正常紙幣計数部５で計数された場合、つまり金種判別部３で正常と金種判別された貨幣の枚数が出金指示枚数を超えた場合、その金種について貨幣の繰出し過多が発生していると判断することができるので、繰出し過多が発生していると判断した場合、指示枚数確認部７はその金種における正常貨幣の計数結果と出金指示枚数を繰り出し枚数変更の情報として繰出し枚数計数部４に出力し、これにより繰出し枚数計数部４は繰出し過多枚数を算出する。
【００２５】
この場合の金種毎の繰出し過多枚数を算出するための計算式は下記（２）式による。
繰出し過多枚数  ＝  正常貨幣計数枚数  −  出金指示枚数・・・・（２）
そして繰出し枚数計数部４は（２）式により算出した繰出し過多枚数を該当金種の貨幣の繰出し枚数を補正して、その補正した繰出し枚数をリジェクト貨幣算出部６に送信し、また指示枚数確認部７は前記正常紙幣計数部５で計数された正常貨幣の金種毎の計数結果をリジェクト貨幣算出部６に送信する。
【００２６】
これによりリジェクト貨幣算出部６は金種毎の貨幣のリジェクト貨幣枚数を算出し、収納部に収納した貨幣の金種毎の枚数を記憶している図示しないカウンタの値に加算する。
図４はこの第２の実施例によるカウンタ更新処理の一例を示す説明図で、ここでは硬貨処理を例にして説明する。
例えば、図４のａに示したように１００円硬貨３枚、１０円硬貨２枚の出金指示に対し、ｂに示したように判別結果計数部５が金種判別部２の判別結果により１００円硬貨４枚、１０円硬貨２枚の正常貨幣を計数し、２枚のリジェクト貨幣を計数したとき、ｃに示したようにスタッカ１からの繰り出し枚数を計数する繰出し枚数計数部４の計数結果が１００円硬貨４枚、１０円硬貨３枚であったとする。
【００２７】
これに対し指示枚数確認部７が１００硬貨について１枚の繰出し過多が発生したと判断して、その１００円硬貨の計数結果と出金指示枚数を繰り出し枚数補正用の情報として繰出し枚数計数部４に出力すると、繰出し枚数計数部４は前記の（２）式により１００円硬貨の繰出し過多枚数（１枚）を算出して、ｄに示したように１００円硬貨の繰出し枚数を５枚に補正する。
【００２８】
そしてリジェクト貨幣算出部６は正常貨幣の計数結果と補正後の繰り出し枚数からｅに示したように１００円硬貨については「５−４＝１」、１０円硬貨については「３−２＝１」の計算を行って、金種判別部２で金種不明と判別されたリジェクト貨幣の金種毎の枚数を１００円硬貨１枚、１０円硬貨１枚として算出する。
この算出したリジェクト貨幣の金種毎の枚数は、収納部に収納した貨幣の金種毎の枚数を記憶している図示しないカウンタの値に加算する。
【００２９】
いま、収納部に収納した貨幣の金種毎の枚数を記憶しているカウンタのカウント値がｆに示したように５００円硬貨１００枚、１００円硬貨１００枚、５０円硬貨５０枚、１０円硬貨５０枚、５円硬貨１０枚、１円硬貨１０枚であるとき、今回算出した１００円硬貨１枚、１０円硬貨１枚をウント値に加算して、ｇに示したように５００円硬貨１００枚、１００円硬貨１０１枚、５０円硬貨５０枚、１０円硬貨５１枚、５円硬貨１０枚、１円硬貨１０枚となるようにカウント値を更新する。
【００３０】
尚、繰出し過多により出金指示枚数より多くなった正常貨幣の硬貨については、当該入出金装置がＡＴＭである場合は、収納部に搬送して収納するが、当該入出金装置がポスレジスタ釣銭等を出金する装置であれば出金口から出金してオペレータに処理させることも可能であり、前記のように収納部に収納した場合は収納した枚数をカウンタの値に加算する。
【００３１】
以上説明したように第２の実施例によれば、判別結果計数部５の計数結果が出金指示枚数を超えたことを指示枚数確認部７が確認した場合、繰出し枚数計数部４で繰出し枚数の補正を行い、その補正した繰出し枚数と判別結果計数部５が計数した金種毎の正常貨幣の計数枚数を用いてリジェクト貨幣算出部６が金種毎のリジェクト貨幣枚数を算出し、その算出した金種毎のリジェクト貨幣枚数を収納部に収納した貨幣の金種毎の枚数を記憶しているカウンタの値に加算して更新するようにしているため、第１の実施例と同様の効果が得られると共に、出金指示枚数に対する繰り出し過多が発生した場合でも、収納部に収納した貨幣の金種毎の枚数をより確実に把握管理することが可能になるという効果が得られる。
【００３２】
図５は本発明の第３の実施例を示すブロック図で、この第３の実施例は第２の実施例の構成に一時保留部８を追加したもので、この一時保留部８は一度金種不明と判別されたリジェクト貨幣を再判別するために一時集積するために設けられたものである。
この他の構成は第２の実施例と同様であり、従って第２の実施例と同様の部分は、同一の符号を付してその説明を省略する。
【００３３】
上述した構成の作用について説明する。
尚、以下に説明する各部の動作は、図示しない記憶部に格納されたプログラム（ソフトウェア）に基づいて図示しない制御部により制御されるものとし、制御部による記憶部等からの情報の読出しやそれに基づく制御についてはその説明を省略する。
まず、出金処理時には図示しない入力部から入力指示された出金金種（繰出し金種）及び金種毎の出金枚数（繰出し枚数）に応じて該当金種のスタッカ１から貨幣が繰出し部２により繰出され、繰出された貨幣は金種判別部３に搬送されて、該金種判別部３で金種判別が行われる。
【００３４】
その結果、金種が確定した正常な貨幣は図示しない出金口に搬送されて該出金口に集積され、また金種が不明なリジェクト（ＲＪ）貨幣は一時保留部８に搬送されて該一時保留部８に集積される。
繰出し枚数計数部４は各繰出し部２が各スタッカ１から貨幣を繰出す毎に繰出し枚数を金種毎に計数し、また判別結果計数部５は金種判別部３で金種判別が行われる毎に金種が確定した正常貨幣の枚数を金種毎に計数すると共に、金種不明と判別されたリジェクト貨幣の枚数を計数する。
【００３５】
この判別結果計数部５で計数された正常貨幣の金種毎の枚数が金種毎の出金指示枚数に足りない場合、足りない金種の貨幣がスタッカ１から繰出し部２により繰出され、金種判別部３に搬送されて金種判別が行われる。
このときも繰出し枚数計数部４は繰出し部２がスタッカ１から貨幣を繰出す毎に貨幣枚数を計数し、また判別結果計数部５は金種判別部３で金種判別が行われる毎に金種が確定した貨幣の枚数を金種毎に計数すると共に、リジェクトと判別された貨幣の枚数も計数する。
【００３６】
この繰出し枚数計数部４の計数結果はリジェクト貨幣算出部６に送られ、判別結果計数部５の計数結果は繰出し枚数計数部４に送られると共に、指定枚数確認部６を介してリジェクト貨幣算出部６に送られる。
これによりリジェクト貨幣算出部６は前述の（１）式により金種毎のリジェクト貨幣枚数を算出し、その算出したリジェクト貨幣枚数の全金種の総和が、判別結果計数部５で計数されたリジェクト貨幣枚数より少ない場合は、繰出し部２による貨幣の繰出し過多が発生して、その繰出し過多の貨幣が金種不明のリジェクトと判別されているものと考えられるので、一時保留部８に保留してあるリジェクト貨幣を金種判別部３に搬送して金種の再判別を実施する。
【００３７】
再判別後の貨幣はすべて図示しない収納部に搬送され収納される。
一方、判別結果計数部５は再判別処理により金種判別部３で金種判別が行われる毎に金種が確定した貨幣の枚数を金種毎に計数すると共に、リジェクトと判別された貨幣の枚数（リジェクト回数）も計数し、その計数結果に基づいて収納部に収納した貨幣の金種毎の枚数を記憶している図示しないカウンタの値の加算更新が行われる。
【００３８】
尚、リジェクト貨幣算出部６が（１）式により算出したリジェクト貨幣枚数の全金種の総和と、判別結果計数部５で計数されたリジェクト貨幣枚数が同じ枚数の場合は、算出したリジェクト貨幣枚数を用いて第１の実施例と同様にカウンタの値の加算更新が行われる。
また、判別結果計数部５は最初の正常貨幣計数枚数と再判別処理による正常貨幣計数枚数を繰出し枚数補正用の情報として繰出し枚数計数部４に通知し、繰出し枚数計数部４は判別結果計数部５から通知された繰出し枚数補正用の情報を用いて金種毎の繰出し過多枚数を算出して繰出し枚数の補正処理を実施する。
【００３９】
繰出し過多枚数は以下の（３）式により算出する。
繰出し過多枚数  ＝  再判別による正常貨幣計数枚数  −  （繰出し枚数−最初の正常貨幣計数枚数）・・・（３）
繰出し枚数計数部４は（３）式により算出した繰出し過多枚数を該当金種の貨幣の繰出し枚数を補正する。
【００４０】
図６はこの第３の実施例によるカウンタ更新処理の一例を示す説明図で、ここでは硬貨処理を例にして説明する。
例えば、図６のａに示したように１００円硬貨３枚、１０円硬貨２枚の出金指示に対し、ｂに示したように判別結果計数部５が金種判別部２の判別結果により１００円硬貨３枚、１０円硬貨２枚の正常貨幣を計数すると共にリジェクト貨幣３枚を計数したとき、ｃに示したようにスタッカ１からの繰り出し枚数を計数する繰出し枚数計数部４の計数結果が１００円硬貨４枚、１０円硬貨３枚であったとすると、リジェクト貨幣算出部６は正常貨幣の計数結果と繰り出し枚数からｄに示したように１００円硬貨については「４−３＝１」、１０円硬貨については「３−２＝１」の計算を行って、金種判別部２で金種不明と判別されたリジェクト貨幣の金種毎の枚数を１００円硬貨１枚、１０円硬貨１枚として算出する。
【００４１】
この場合、算出したリジェクト貨幣は１００円硬貨１枚、１０円硬貨１枚であるので、その総和は２枚であり、判別結果計数部５が計数したリジェクト貨幣３枚よりも少ないことから繰出し過多が発生したものとして、一時保留部８に保留してある３枚のリジェクト貨幣を金種判別部３に搬送して金種の再判別を実施する。
この再判別処理結果によって判別結果計数部５がｅに示したように正常貨幣として１００円硬貨２枚、１０円硬貨１枚、リジェクト貨幣０枚を計数すると、その計数された金種毎の枚数が収納部に収納した貨幣の金種毎の枚数を記憶している図示しないカウンタの値に加算される。
【００４２】
いま、収納部に収納した貨幣の金種毎の枚数を記憶しているカウンタのカウント値がｆに示したように５００円硬貨１００枚、１００円硬貨１００枚、５０円硬貨５０枚、１０円硬貨５０枚、５円硬貨１０枚、１円硬貨１０枚であるとき、再判別処理により計数した１００円硬貨２枚、１０円硬貨１枚をウント値に加算して、ｇに示したように５００円硬貨１００枚、１００円硬貨１０２枚、５０円硬貨５０枚、１０円硬貨５１枚、５円硬貨１０枚、１円硬貨１０枚となるようにカウント値を更新する。
【００４３】
一方、判別結果計数部５はその計数結果を繰出し枚数計数部４に送り、繰出し枚数計数部４はｈに示したように前記の（３）式により１００円硬貨の繰出し過多枚数（１枚）を算出して、ｉに示したように１００円硬貨の繰出し枚数を５枚に補正する。
以上説明したように第３の実施例によれば、リジェクト貨幣を一時保留部８に集積して保留し、リジェクト貨幣算出部６が算出した金種毎のリジェクト貨幣枚数の総和が判別結果計数部５によるリジェクト貨幣の計数枚数より少ない場合、一時保留部８に保留したリジェクト貨幣を再判別して、その再判別による計数結果を基に収納部に収納した貨幣の金種毎の枚数を記憶しているカウンタの値に加算して更新するようにしているため、第２の実施例と同様の効果が得られると共に、再判別による計数結果を基に繰出し枚数を補正するようにしているため、正確な繰出し枚数が得られ、結果的にスタッカ内の貨幣の残り枚数を正確に把握管理することが可能になるという効果が得られる。
【００４４】
尚、上述した各実施例では、硬貨の出金処理について説明したが、貨幣の金種判別を行うすべての処理に適用可能であり、貨幣は硬貨に限らず紙幣の場合でも同様に処理を行えることは無論である。
【図面の簡単な説明】
【００４５】
【図１】第１の実施例を示すブロック図
【図２】第１の実施例によるカウンタ更新処理の一例を示す説明図
【図３】第２の実施例を示すブロック図
【図４】第２の実施例によるカウンタ更新処理の一例を示す説明図
【図５】第３の実施例を示すブロック図
【図６】第３の実施例によるカウンタ更新処理の一例を示す説明図
【符号の説明】
【００４６】
１    スタッカ
２    繰出し部
３    金種判別部
４    繰出し枚数計数部
５    判別結果計数部
６    リジェクト貨幣算出部
７    指示枚数確認部
８    一時保留部
【図１】
2008234190.tif 000003
【図２】
2008234190.tif 000004
【図３】
2008234190.tif 000005
【図４】
2008234190.tif 000006
【図５】
2008234190.tif 000007
【図６】
2008234190.tif 000008